【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】  塩素化され、臭素化され、アルデヒドを含有し、又はニトロを含有する開始剤化合物であって、１個以上のオキシアルキル化可能な基を有する開始剤化合物、少なくとも１種のアルキレンオキシド及び金属シアン化物触媒錯体の混合物を形成すること、及び、前記触媒錯体を活性化させそして前記開始剤のオキシアルキル化可能な基をアルコキシル化させるために十分な条件下に該混合物を付すことを含む、１個以上のハロゲン、アルデヒド、ケトン又はニトロ基を有するポリエーテルの製造方法。
【請求項２】  前記アルキレンオキシドはエチレンオキシド、プロピレンオキシド又は１，２−ブチレンオキシドである、請求項１記載の方法。
【請求項３】  開始剤１当量あたり少なくとも３モルのアルキレンオキシドが付加され、そして生成物の多分散が約１．２５未満である、請求項２記載の方法。
【請求項４】  前記開始剤化合物は２−クロロエタノール、２−ブロモエタノール、２−クロロ−１−プロパノール、３−クロロ−１−プロパノール、３−ブロモ−１−プロパノール、１，３−ジクロロ−２−プロパノール、１−クロロ−２−メチル−２−プロパノールである、請求項１記載の方法。
【請求項５】  前記開始剤化合物は１個以上のニトロ基を含む、請求項１記載の方法。
【請求項６】  前記アルキレンオキシドはエチレンオキシド、プロピレンオキシド又は１，２−ブチレンオキシドである、請求項５記載の方法。
【請求項７】  開始剤１当量あたり少なくとも３モルのアルキレンオキシドが付加され、そして生成物の多分散が約１．２５未満である、請求項６記載の方法。
【請求項８】  少なくとも１個の塩素、臭素、アルデヒド、ケトン又はニトロ基を含む開始剤の残基を含み、開始剤化合物１当量あたり少なくとも３モルのアルキレンオキシドの平均アルコキシ重合度を有するポリ（アルキレンオキシド）ポリマー。
【請求項９】  清浄化又は精製の前に、未反応出発材料及び高分子量画分以外の副生成物を５質量％以下の量で含む、請求項８記載のポリマー。
【請求項１０】  前記アルキレンオキシドはエチレンオキシド、プロピレンオキシド又は１，２−ブチレンオキシドである、請求項９記載のポリマー。
【請求項１１】  開始剤１当量あたり少なくとも３モルのアルキレンオキシドが付加され、そして生成物の多分散が約１．２５未満である、請求項１０記載のポリマー。
【請求項１２】  前記開始剤化合物は２−クロロエタノール、２−ブロモエタノール、２−クロロ−１−プロパノール、３−クロロ−１−プロパノール、３−ブロモ−１−プロパノール、１，３−ジクロロ−２−プロパノール、１−クロロ−２−メチル−２−プロパノールである、請求項１１記載のポリマー。
【請求項１３】  前記開始剤化合物は１個以上のニトロ基を含む、請求項９記載のポリマー。
【請求項１４】  前記アルキレンオキシドはエチレンオキシド、プロピレンオキシド又は１，２−ブチレンオキシドである、請求項９記載のポリマー。
【請求項１５】  開始剤１当量あたり少なくとも３モルのアルキレンオキシドが付加され、そして生成物の多分散が約１．２５未満である、請求項１４記載のポリマー。
【請求項１６】  １個以上のオキシアルキル化可能な基を有するハロゲン化された開始剤化合物、少なくとも１種のアルキレンオキシド及び金属シアン化物触媒錯体の混合物を形成すること、前記触媒錯体を活性化させそして開始剤のオキシアルキル化可能な基をアルコキシル化するために十分な条件に該混合物を付し、少なくとも１個のハロゲン基及び少なくとも１個のヒドロキシル基を有するポリエーテルを生成させること、及び、その後、前記ハロゲン基をアミン基により置換させるために十分な条件下に前記ポリエーテルをアンモニア、第一級アミンもしくは第二級アミンと接触させることを含む方法。
【請求項１７】  １個以上のオキシアルキル化可能な基を有するニトロを含有する開始剤化合物、少なくとも１種のアルキレンオキシド及び金属シアン化物触媒錯体の混合物を形成すること、前記触媒錯体を活性化させそしてそして開始剤のオキシアルキル化可能な基をアルコキシル化させるために十分な条件下に該混合物を付し、少なくとも１個のニトロ基及び少なくとも１個のヒドロキシル基を含むポリエーテルを生成させること、及び、その後、前記ニトロ基をアミン基に還元するために十分な条件下に前記ポリエーテルを付すことを含む方法。
【手続補正２】
【補正対象書類名】明細書
【補正対象項目名】０００７
【補正方法】変更
【補正の内容】
【０００７】
１つの態様において、本発明は、ハロゲン化され、アルデヒドを含有し、飽和エステルを含有し、ケトンを含有し又はニトロを含有する開始剤化合物であって、１個以上のオキシアルキル化可能な基を有する開始剤化合物、少なくとも１種のアルキレンオキシド及び金属シアン化物触媒錯体の混合物を形成すること、触媒錯体を活性化させそして開始剤のオキシアルキル化可能な基をアルコキシル化するために十分な条件下にこの混合物を付すことを含む、１個以上のハロゲン、アルデヒド、飽和エステル、ケトン又はニトロ基を有するポリエーテルの製造方法である。
【手続補正３】
【補正対象書類名】明細書
【補正対象項目名】０００８
【補正方法】変更
【補正の内容】
【０００８】
第二の態様において、本発明は、少なくとも１個のハロゲン、アルデヒド、飽和エステル又はニトロ基を含む開始剤化合物の残基を含むポリ（アルキレンオキシド）ポリマーであり、このポリマーは開始剤化合物１当量あたり少なくとも３モルのアルキレンオキシドの平均アルコキシ重合度を有する。
【手続補正４】
【補正対象書類名】明細書
【補正対象項目名】０００９
【補正方法】変更
【補正の内容】
【０００９】
本発明は、塩基で触媒されるアルコキシル化法において生き延びないハロゲン、アルデヒド、飽和エステル、ケトン又はニトロ置換基を含む開始剤のポリマーを容易に生成させることができる。本発明により製造される粗ポリマーは有意なレベルの望ましくない副生成物、例えば、ニトロアルカン、カルボニル化合物、環式エーテル及び他の不純物を含まない。
【手続補正５】
【補正対象書類名】明細書
【補正対象項目名】００１０
【補正方法】変更
【補正の内容】
【００１０】
本方法のポリエーテル生成物は１個以上の末端ヒドロキシル基及び少なくとも１個のハロゲン、アルデヒド、飽和エステル、ケトン又はニトロ基を含む。ハロゲン、アルデヒド、飽和エステル、ケトン又はニトロ官能基はポリエーテルに有用な反応性サイトを提供し、それを介して、種々のタイプの置換基が生成さうる。ポリエーテル上にアミン官能基を生成して、ヒドロキシル基及びアミン基の両方を有する生成物を生成することは特に興味深い。
【手続補正６】
【補正対象書類名】明細書
【補正対象項目名】００１４
【補正方法】変更
【補正の内容】
【００１４】
ここに使用される開始剤は、脂肪族炭素原子に結合されておりかつアルコキシル化されうるヒドロキシル基を少なくとも１個含む。また、開始剤は少なくとも１個のハロゲン、アルデヒド、飽和エステル、ケトン又はニトロ（−ＮＯ２）基も含み、そのいずれかは脂肪族もしくは芳香族炭素原子のいずれかに結合されていてよい。ハロゲン基は、フッ素、塩素、臭素及びヨウ素を含み、塩素及び臭素は好ましい。開始剤は他の官能基を含んでいてもよいが、但し、アルコキシル反応の条件下に所望されないように反応することがない。適切なハロゲン化アルコールは、２−クロロエタノール、２−ブロモエタノール、２−クロロ−１−プロパノール、３−クロロ−１−プロパノール、３−ブロモ−１−プロパノール、１，３−ジクロロ−２−プロパノール、１−クロロ−２−メチル−２−プロパノール、３−クロロ−２，２−ジメチル−１−プロパノール、３−ブロモ−２，２−ジメチル−１−プロパノール、４−クロロ−１−ブタノール、６−クロロ−１−ヘキサノール、６−ブロモ−１−ヘキサノール、３−ブロモ−２−メチル−１−プロパノール、７−ブロモ−１−ヘプタノール、８−クロロ−１−オクタノール、８−ブロモ−１−オクタノール、２，２−ジクロロエタノール、２，３−ジブロモプロパノール、２，２−ビス（クロロメチル）−１−プロパノール、２，２，２−トリブロモエタノール、２，２，２−トリクロロエタノール、２，２，２−トリフルオロエタノール、２，２，３，３−テトラフルオロ−１−プロパノール、１−クロロ−２−プロパノール、１−ブロモ−２−プロパノール、１，３−ジフルオロ−２−プロパノール、１，３−ジブロモ−２−プロパノール、１，４−ジブロモ−２−ブタノール、３−クロロ−１，２−プロパンジオール、３−ブロモ−１，２−プロパンジオール、２−クロロ−２−プロペン−１−オール、２−クロロシクロヘキサノール、α−（クロロメチル）２，４−ジクロロベンジルアルコール及びトランス−２，３−ジブロモ−２−ブテン−１，４−ジオールを含む。適切なケトン含有基はアセトール及び３’−ヒドロキシアセトフェノンを含む。適切なニトロアルコールは、２−ニトロ−２−メチル−１−プロパノール、２−ニトロエタノール、２−ニトロ−１−プロパノール、３−ニトロ−２−ブタノール、３−ニトロ−２−ペンタノール、２−ブロモ−２−ニトロ−１，３−プロパンジオール、ニトロメタントリスプロパノール及びトリ（ヒドロキシメチル）ニトロメタンを含む。適切な飽和エステルは重合性炭素−炭素不飽和を有していない化合物であって、その例は、エチルグリコレート及びエチル３−ヒドロキシブチレートを含む。